(57)【要約】【課題】  中素材の偏りの発生がなく、側地袋の取替作業が容易にでき、丸洗いしても中綿の偏りや綿切れ、変形の生じにくい側地袋付き寝具を提供する。【解決手段】  毛布、タオルケット、中綿をインナー側地で包んだ中素材パック、芯地と中綿とインナー側地とを合わせて綿止めしてなる中素材パック等を中素材とし、中素材とこれを収納する側地袋とが面ファスナー、テープ付きスナップ等の着脱係止具により着脱可能に取り付けられている寝具。【選択図】      図１
2005192691.tif 000002
【特許請求の範囲】
【請求項１】
側地袋の四辺の内側に設けられた着脱係止具により、中素材と側地袋とが着脱可能に取り付けられていることを特徴とする側地袋着脱式寝具。
【請求項２】
着脱係止具がスナップであることを特徴とする請求項１に記載の側地袋着脱式寝具。
【請求項３】
中素材が毛布またはタオルケットであることを特徴とする請求項１又は請求項２に記載の側地袋着脱式寝具。
【請求項４】
中素材がインナー側地袋内に中綿を収納し、綿止めが施されてなる中素材パックであることを特徴とする請求項１又は請求項２に記載の側地袋着脱式寝具。
【請求項５】
中素材がインナー側地袋内にクッション材を収納してなる中素材パックであることを特徴とする請求項１又は請求項２に記載の側地袋着脱式寝具。
【請求項６】
中素材が布帛を芯地とし、芯地の外縁を残しながら、中綿をインナー側地で覆うように芯地とインナー側地を縫着し、さらに芯地と中綿とインナー側地とを合わせて綿止めが施されてなる中素材パックであり、中素材側の着脱係止具の係止要素が中素材パックの芯地に取り付けられていることを特徴とする請求項１又は請求項２に記載の側地袋着脱式寝具。
【発明の詳細な説明】
【技術分野】
【０００１】
本発明は、寝具に関するものであり、特に病院や老人養護施設等の洗濯回数の多い施設において使用するのに好適な寝具に関するものである。
【背景技術】
【０００２】
従来から寝具としては、中綿を布製の側地で覆い、キルティング加工や和綴じ加工等の綿止めを施して敷布団や掛布団とし、敷布団にはシーツを敷き、掛布団は袋状の包布で包んで用いている。掛布団を包布で包んで用いる際、特に肌布団とか羽毛布団のように軽い掛布団の場合に、包布の中で布団が偏ってしまう現象がよく発生している。最近では布団の四隅と包布の内側の四隅に紐を取り付けて結んでおき、包布の中で布団が偏ってしまう現象の発生を防止するといった対応がなされている。また、寒くなると毛布を掛布団の下にかけたりするが、毛布の汚れを防止するために、毛布に包布を被せて用いる場合もある。この場合も包布の中で毛布が偏ってしまう現象がよく発生している。
【０００３】
病院や各種施設においては、注射や点滴等の処置が行われる際に布団にシミが付いたり、手術後の患者の出血により血液が付着することがある。院内感染が問題になっていて、特に病院では寝具類については患者の退院毎に洗濯と消毒が義務付けられており、布団も熱消毒を兼ねて洗濯することが行われている。寝具の中素材がずれないように四隅に紐を取付けて結ぶといった対応策を施してある場合には、病院や老人養護施設等の洗濯回数の多い施設においては、包布の取替作業に時間をとって作業効率を悪くしている。また、包布を取り替えずに使用されたままで丸洗いすることも行われているが、この場合には洗濯時に揉み洗いすることは難しいのでシミ汚れが残る場合が多く、また洗濯中に掛かる力で中綿がへたったり、綿切れを起こしたりしやすく保温性が保てなくなる場合がある。このような場合には、そのまま廃棄処分されている。
【発明の開示】
【発明が解決しようとする課題】
【０００４】
本発明は、上記のような現状を鑑みてなされたものであり、中素材の偏りの発生がなく、側地袋の取替作業が容易にできる側地袋付き寝具を提供すること、さらに丸洗いを行っても中綿がへたったり、綿切れしたり、変形したりしにくいとの性能をも合わせて有する側地袋付き寝具を提供することを課題とするものである。
【課題を解決するための手段】
【０００５】
本発明は、上記の課題を解決するものであり、側地袋の四辺の内側に設けられた着脱係止具により、中素材と側地袋とが着脱可能に取り付けられていることを特徴とする側地袋着脱式寝具、着脱係止具がスナップであることを特徴とする上記の側地袋着脱式寝具、中素材が毛布あるいはタオルケットであることを特徴とする上記の側地袋着脱式寝具、中素材がインナー側地袋内に中綿を収納し、綿止めが施されてなる中素材パックであることを特徴とする上記の側地袋着脱式寝具、中素材がインナー側地袋内にクッション材を収納してなる中素材パックであることを特徴とする上記の側地袋着脱式寝具、及び中素材が布帛を芯地とし、芯地の外縁を残しながら、中綿をインナー側地で覆うように芯地とインナー側地を縫着し、さらに芯地と中綿とインナー側地とを合わせて綿止めが施されてなる中素材パックであり、中素材側の着脱係止具の係止要素が中素材パックの芯地に取り付けられていることを特徴とする上記の側地袋着脱式寝具を要旨とするものである。
【０００６】
以下、本発明を詳細に説明する。
本発明の寝具は、中素材と側地袋とが着脱係止具により着脱可能に取り付けられている側地袋着脱式寝具である。図１は、本発明の寝具の斜視断面図であり、寝具を斜め上から見た状態と寝具の特徴を示す部分の断面を合わせて示す図である。図１において、寝具１は、中素材２と側地袋３とが着脱係止具４により着脱可能に取り付けられている。そして、中素材２を出し入れする開口部５が設けられていて、寝具の使用等により側地袋が汚れたりした際に、着脱係止具で中素材と側地袋を離して、側地袋を洗濯に出し、洗濯済みの側地袋あるいは新しい側地袋と取り替えて使用に供することができる。
【０００７】
本発明の寝具の側地袋３には、中素材２を出し入れする開口部５を設けておくが、その位置は、図１に示すように側地袋の辺部であっても、使用者に接する面とは反対側の面、例えば掛け布団の場合には表側の面にあってもよい。開口部にはスライドファスナーやスナップ等を取り付けておくのも好ましい。また、面に出し入れする開口部を設ける場合、大きく窓状に開けたものであってもよい。
【０００８】
本発明において、側地袋に用いる布帛としては、ポリエステル１００％の長繊維仮撚加工糸使い等のポリエステル１００％の糸状を用いたものであってもよいが、木綿１００％やポリエステル／木綿混紡糸使い等の吸湿性を考慮した素材の織物や経編地を用いるのが好ましい。側地袋は、上記にような布帛を袋状に縫製し、中素材の着脱係止具の係止要素に対応する位置に側地袋側の係止要素が取り付けられる。
【０００９】
本発明における着脱係止具４は、側地袋の四辺の内側に設けられていて、中素材と側地袋の対応する位置のそれぞれに係止要素が取り付けられている。そして、それらを操作することにより、中素材に側地袋を取り付けたり、取り外したりすることができる。具体的には、係止要素がボタンとボタンホールである着脱係止具、係止要素が細幅テープや紐であって、これらを結んだり解いたりすることによって着脱する着脱係止具、係止要素が鈎フックと掛け環であり、鈎フックを掛け環に掛けたり外したりすることによって着脱する着脱係止具、係止要素が面ファスナーの雄材と雌材であって、これらを押し付けたり引き剥がしたりして着脱する着脱係止具、係止要素が雄スナップボタンと雌スナップボタンであって、これらを嵌合したり外したりすることによって着脱するスナップ等を挙げることができる。
【００１０】
これらの中でも着脱係止具としては、係止要素が雄スナップボタンと雌スナップボタンであるスナップであるのが好ましい。スナップとしては、係止要素としての雄スナップボタンと雌スナップボタンを中素材や側地にそれぞれ縫着する形態のもの、かしめて取り付ける形式のもの、雄スナップボタンと雌スナップボタンをそれぞれ細幅テープに成形固着することにより取り付けられているテープ付きスナップ等を挙げることができ、いずれの形式のものであってもよい。着脱係止具がテープ付きスナップである場合には、テープ部分を中素材や側地袋に縫着することによって着脱係止具を取り付けることができる。スナップの場合には、スナップボタンの素材やテープの素材を選定することによって、洗濯や乾燥時の温度による変形や変色の少ないものを使用することができるようになる。また特に熱消毒を兼ねる洗濯が行われる施設において使用される寝具用の場合には、耐熱性樹脂を使用したスナップであるのが好ましい。
【００１１】
本発明において、着脱係止具を側地袋の四隅ではなく、四辺の内側に設けておく最大の理由は、袋の隅での取り付け、取り外し作業に比較して作業性が良いことである。さらに本発明の寝具を丸洗いした際に、着脱係止具を側地袋の四隅に設けた場合には、洗濯や乾燥時に側地と中素材一体となって張力が掛かって中綿がへったたり、綿切れを起こしたりしやすいが、側地袋の四辺の内側に設けておくと力を分散させることができて、このような現象を起こしにくくなる。
【００１２】
図２及び図３は、中素材に着脱係止具の係止要素を取り付ける位置の例を示す図であり、図２は中素材の平面斜視図である。図２において、着脱係止具４は、中素材の周囲四辺に沿って間隔をおいて、複数個取り付けられていることを示している。一辺に取り付ける個数に制限はないが、中素材の側地袋内での移動を防止するには、各辺の両端近くには設けておくのがよい。側地袋には、中素材に取り付けた着脱係止具の係止要素に対応する位置に着脱係止具側の係止要素が取り付けられており、図１に示すように、本発明の寝具においては、着脱係止具は側地袋の四辺の内側に存在することになる。
【００１３】
中素材は、側地袋を被せて寝具として用いられるものをいう。具体的なものとして、まず毛布やタオルケットを挙げることができる。これらは側地袋を被せなくても用いることができるが、毛布やタオルケットが汚れるのを防止するために側地袋を被せて用いる場合に有効である。この場合、着脱係止具は毛布やタオルケットの表側の各辺の縁布の部分に取り付けるのが好ましい。
【００１４】
次に中素材として、インナー側地袋内に中綿を収納し、綿止めが施されてなる中素材パックを挙げることができる。この場合の中素材パックは、図３に示すように、中綿６をインナー側地７で包み、キルティング加工や和綴じ加工等の綿止め８を施したもので、通常敷布団、掛布団、肌布団等として用いられるものに相当する。この場合の中綿６としては、綿、羊毛、羽毛、絹等の天然素材綿や、ポリエステル、アクリル等の合成繊維綿等を挙げることができる。これらの綿素材は混綿して用いられていてもよい。インナー側地袋に用いられる布帛としては、木綿１００％やポリエステル／木綿混紡糸使い等の吸湿性を考慮した素材の織物や経編地が挙げられるが、洗濯頻度が多い用途の場合には洗濯後の乾燥性等の点からポリエステル長繊維糸の捲縮加工糸使いの織物や編物を用いることもできる。キルティング加工や和綴じ加工等の綿止めは、中綿がインナー側地内で移動して偏りが生じないようにするために行う。本発明においては、軽量な中素材パックである場合が、本発明の効果をより発揮し、肌布団に相当する位の軽量な場合や軽量でも保温効果が優れているとされる羽毛を中綿として用いた場合には特に有効である。
【００１５】
さらに中素材として、インナー側地袋内にクッション材を収納してなる中素材パックを挙げることができる。この場合のクッション材としては、発泡性樹脂からなる発泡体製クッション材や繊維ウェブの構成繊維をバインダーで接着した繊維製クッション材等を挙げることができる。発泡体製クッション材としては、発泡性ウレタンからなるウレタンフォームが挙げられる。繊維製クッション材としては、ポリエチレンテレフタレート等比較的融点の高いポリマーからなる繊維を主体繊維とし、このポリマーより融点の低いポリマーをバインダー成分としたバインダー繊維を混綿してウェブを作成した後、これをバインダー成分の融点以上の温度で熱処理し、主体繊維同志をバインダー成分で接着して得られるクッション材である。このようにクッション材を収納した中素材パックとしては、インナー側地袋とクッション材を合わせてキルティング加工や和綴じ加工等を施したものであってもよい。
【００１６】
また、中素材として、図４や図５に示すように布帛を芯地９とし、芯地の外縁を残しながら、中綿６をインナー側地７で覆うように芯地９とインナー側地７を縫着し、さらに芯地９と中綿６とインナー側地７とを合わせてキルティング加工や和綴じ加工等の綿止め８が施されてなる中素材パックを用いることができる。図４は、芯地９の片面に中綿６が存在する場合である。図５は、芯地の両側に中綿が存在する場合を示している。図５の中素材パックとする場合、図４に示す中素材パックに相当するものを２つ作成し、芯地面を合わせて芯地の外縁部を縫着して得るのが作業性の点で好ましい。この場合、両面の綿止めの位置を図６に示すようにずらしておくと、同じ位置に綿止めした場合より綿止め部分からの熱の放射を少なく、保温性の点で好ましい。
【００１７】
この場合の芯地としては、織物、経編地、不織布等の布帛が用いられる。この場合、布帛は通常経方向と緯方向とでは、伸長特性等が異なっているので、布帛の経方向を経にとったものと緯方向を経にとったものとを重ねて芯地として用いるのが好ましい。特に経方向と緯方向の伸長特性の異なる不織布や編物の場合には、２枚を衝合して用いるのが好ましい。図５の構成とする場合には、片面を布帛の経方向を経にとったものとし、今一面は緯方向を経にとったものとするのも好ましい。布帛を構成する繊維の種類としては、合成繊維の長繊維糸からなるものであるのが好ましい。合成繊維の長繊維糸の中では、吸湿性、寸法安定性等の点からポリエステル系繊維であるのが好ましい。
インナー側地としては、平織の織物であるのが好ましく、ポリエステル／綿等の混紡糸使いの織物であってもよいが、洗濯後の乾燥性等の点ではポリエステル長繊維糸の捲縮加工糸使いの織物であるのが好ましい。
中綿としては、木綿であってもよいが、洗濯後の乾燥性等の点からはポリエステル系繊維等合成繊維綿であるのが好ましく、へたりの小さい複合繊維による捲縮強化綿であるのが好ましい。
【００１８】
本発明において、側地袋を作成する際に側地用生地を裁断後、ミシン縫製して袋形状することもできるが、ミシン縫製に代えて、スナップを側地用生地の周囲に取り付けて側地袋を形成させることもできる。図６及び図７は、スナップを用いて側地袋を形成させる場合の本発明の着脱式寝具の作成法を説明する図である。図６は、所定のサイズに裁断した表側地１０となる側地用生地の周囲に例えばスナップ１２の雄スナップボタンを取り付け、裏側地１１となる側地用生地の周囲にスナップ１２の雌スナップボタンを取り付けて、これらを重ね合わせて雄スナップボタンと雌スナップボタンとを係合させて側地袋を形成させ、さらに中素材着脱用のスナップボタン１３を裏側地となる側地用生地に取り付けて、中素材にとりつけたスナップボタンと係合させる状態を示す図である。図７は、表側地１０となる側地用生地と裏側地１１となる側地用生地がスナップ１２で留められており、さらに中素材がスナップ１３で裏側地となる側地用生地に留められている状態を示していて、図６の作業が終了した状態を横から見た図である。そして開口部を介して中素材を表側地と裏側地の間に引き込むことにより被包して本発明の中素材着脱式の寝具を得ることができる。
このようにした寝具では、側地が汚れて洗濯した際のアイロン掛けを工業用ロールアイロンで行っても、ミシン縫製で側地袋を形成させた場合に比べて皺の発生が少なく洗濯後の見栄えのよい状態で再供給できる。  
【発明の効果】
【００１９】
本発明の寝具は、掛け布団としても敷き布団としても使用することができる構造を有していて、特に病院や療養施設等の洗濯回数の多い施設において使用するのに好適な寝具であり、下記の諸効果を奏する。
（１）中素材と側地袋の間に着脱可能な係止具が設けられていて、使用中には中素材が側地袋の中で自由に動くのを阻止するので中素材の偏りの発生がない。特に毛布やタオルケットであったり、中綿量が少ない布団である場合のように中素材が軽量である場合に効果が大きい。
（２）着脱係止具が側地袋の四辺の内側に設けられているので、側地袋のみを洗濯する場合のように、側地袋を取り替える作業を行う場合着脱係止具を操作することによって簡単に行うことができる。
（３）側地袋あるいは中素材の一方が損傷した場合には、損傷した方だけ廃棄すればよく、資源の節約になる。
（４）中素材パックに芯地が設けてある場合には、寝具全体をそのまま洗濯しても、洗濯中に掛かる張力を芯地が受けて、インナー側地や中綿への影響が小さくなり、へたりを防止することができ、綿切れの発生を防止することができる。また、バイヤスに変形する力がかかったとしても元の形状に復元させることができる。
（５）本発明の寝具において、側地袋と中素材とのサイズを合わせておき、着脱係止具の取り付け位置も合わせておくと、季節に適応した中素材と取り替えて使用することができるようになり、サイズの異なる側地袋を用意する必要がなくなるので資源の節約を図ることができる。
【発明を実施するための最良の形態】
【００２０】
次に本発明を実施例により具体的に説明する。
【実施例１】
【００２１】
パイルとしてアクリル繊維が用いられている幅１４０ｃｍ、長さ２００ｃｍの毛布の縁布の部分に、図２のように各辺の両端部と中間部に幅２ｃｍ、長さ５ｃｍの面ファスナーの雌材を縫着して中素材２とし、綿１００％３０番単糸使いの平織物を袋状に縫製し、中素材に縫着した面ファスナーの雌材に対応する側地袋の四辺の内側の位置に面ファスナーの雄材を縫着して側地袋３として、中素材２を側地袋３に入れて対応する位置の着脱係止具４としての面ファスナーの雌材と雄材を密着させて本発明の掛毛布を得た。
使用中に中の毛布が偏ってしまったりすることがなく、洗濯のための側地袋の交換作業も容易にできるものであった。
【実施例２】
【００２２】
綿１００％３０番単糸使いの平織物を袋状に縫製してインナー側地袋７とし、中にポリエステル中空断面綿６．６デシテックス×５１ｍｍのカードウェブ１．５ｋｇを中綿６として収納し、和綴じ加工による綿止め９を施して、インナー側地袋７の周囲四辺の両端部と中間部に雌スナップボタンを成型固着したテープ付きスナップのテープ部分を縫着して図３の構造を有する中素材２とし、綿１００％３０番単糸使いの平織物を袋状に縫製し、中素材に縫着した雌スナップボタンを成型固着したテープ付きスナップに対応する四辺の内側の位置に雄スナップボタンを成型固着したテープ付きスナップを縫着して側地袋３として、中素材２を側地袋３に入れて対応する位置の着脱係止具４としての雌スナップボタンと雄スナップボタンを嵌合させて本発明の掛け布団を得た。
【実施例３】
【００２３】
実施例２において、中素材と側地袋にテープ付きスナップのテープ部分を縫着することに替えて、中素材のインナー側地袋に雌スナップボタンを直接かしめて取り付け、側地袋には雄スナップボタン直接かしめて取り付けたこと以外は、実施例２と同様にして、本発明の掛け布団を得た。
【実施例４】
【００２４】
ポリエステルフィラメント糸７５デシテックス使いの平織物（経糸密度１０５本／２．５ｃｍ、緯糸密度８５本／２．５ｃｍ）を長さ２００ｃｍ、幅１４０ｃｍに裁断したものを芯地９とし、その上にポリエステル中空断面綿６．６デシテックス×５１ｍｍのカードウェブ１．５ｋｇを中綿６として載せて、さらにポリエステル仮撚加工糸８３デシテックス使いの平織物（経糸密度９２本／２．５ｃｍ、緯糸密度８０本／２．５ｃｍ）を長さ２００ｃｍ、幅１４０ｃｍに裁断したものをインナー側地７として中綿６を覆い、芯地９の外縁を各辺１ｃｍ残して四辺をミシン縫製し、次いで芯地９と中綿６とインナー側地７を合わせて、幅方向は５０ｃｍ毎に４箇所、長さ方向は４７ｃｍ毎に３箇所にキルティングによる綿止め８を施し、次に芯地の外縁の周囲四辺の両端部と中間部に雌スナップボタンを成型固着したテープ付きスナップのテープ部分を縫着して図４の構造を有する中素材２とし、綿１００％３０番単糸使いの平織物を袋状に縫製し、中素材に縫着した雌スナップボタンを成型固着したテープ付きスナップに対応する四辺の内側の位置に雄スナップボタンを成型固着したテープ付きスナップを縫着して側地袋３として、中素材２を側地袋３に入れて対応する位置の着脱係止具４としての雌スナップボタンと雄スナップボタンを嵌合させて本発明の掛け布団を得た。
【実施例５】
【００２５】
目付３０ｇ／ｍ2のポリエステルスパンボンド不織布を縦方向に長さ２００ｃｍ、幅１４０ｃｍに裁断したものを芯地９とし、その上にポリエステル中空断面綿６．６デシテックス×５１ｍｍのカードウェブ１．５ｋｇを中綿６として載せて、さらにポリエステル仮撚加工糸８３デシテックス使いの平織物（経糸密度９２本／２．５ｃｍ、緯糸密度８０本／２．５ｃｍ）を長さ２００ｃｍ、幅１４０ｃｍに裁断したものをインナー側地７として中綿６を覆い、芯地の外縁を各辺１ｃｍ残して四辺をミシン縫製し、芯地９と中綿６とインナー側地７を合わせてキルティングによる綿止め８を施して中素材パックの一片を作成し、次に目付３０ｇ／ｍ2のポリエステルスパンボンド不織布を横方向に長さ２００ｃｍ、幅１４０ｃｍに裁断したものを芯地９として、キルティングの位置をずらすこと以外は同様にして中素材パックの今一片を作成して、図５のように芯地部分を重ね、芯地部分の外縁をミシン縫製により縫着し、次に芯地の外縁の周囲四辺の両端部と中間部に雌スナップボタンを成型固着したテープ付きスナップのテープ部分を縫着して図５の構造を有する中素材２とし、綿１００％３０番単糸使いの平織物を袋状に縫製し、中素材に縫着した雌スナップボタンを成型固着したテープ付きスナップに対応する四辺の内側の位置に雄スナップボタンを成型固着したテープ付きスナップを縫着して側地袋３として、中素材２を側地袋３に入れて対応する位置の着脱係止具４としての雌スナップボタンと雄スナップボタンを嵌合させて本発明の掛布団を得た。
【実施例６】
【００２６】
長さ２０５ｃｍ、幅１４５ｃｍに裁断した表側地１０となる側地用生地の周囲に開口部５となる部分を除いてスナップ１２の雄スナップボタンを取り付け、裏側地１１となる側地用生地には、表側地と合わさる側の周囲に雌スナップボタンを取り付け、反対面には中素材２を取り付けルためスナップ１３の雄スナップボタンを取り付けて、これらを重ね合わせて図６に示す側地袋を形成させ、さらに実施例３にて用いた中素材２を重ねてスナップ１３を係合させ、開口部５を介して中素材２を表側地１０と裏側地１１の間に引き込むことにより被包して本発明の掛け布団を得た。
【図面の簡単な説明】
【００２７】
【図１】本発明の寝具の斜視断面図である。
【図２】本発明の寝具の中素材の斜視図である。
【図３】本発明の寝具の中素材の一例の斜視断面図である。
【図４】本発明の寝具の中素材の一例の斜視断面図である。
【図５】本発明の寝具の中素材の一例の斜視断面図である。
【図６】スナップを用いて側地袋を形成させる場合の本発明の着脱式寝具の作成法を説明する図である。
【図７】スナップを用いて側地袋を形成させる場合の本発明の着脱式寝具の作成法を説明する図である。
【符号の説明】
【００２８】
１  寝具
２  中素材
３  側地袋
４  着脱係止具
５  開口部
６  中綿
７  インナー側地
８  綿止め
９  芯地
１０  表側地
１１  裏側地
１２  スナップ
１３  スナップ
【図１】
2005192691.tif 000003
【図２】
2005192691.tif 000004
【図３】
2005192691.tif 000005
【図４】
2005192691.tif 000006
【図５】
2005192691.tif 000007
【図６】
2005192691.tif 000008
【図７】
2005192691.tif 000009